(57)【特許請求の範囲】
【請求項１】
体液の吸収が可能な吸収体を内包し、陰唇間に無理なく挟み込むことが可能な大きさになる陰唇間パッドであって、長軸方向と短軸方向とを備える形状をなしており、
前記陰唇間パッドには、着用者の指先の部分が無理なく挿入される大きさの一対の指先挿入口が設けられており、
当該一対の指先挿入口は、前記長軸方向を中心軸とした場合の前記陰唇間パッドの両側の対岸において互いに線対称な位置に設けられているものであり、使用の際には着用者の２本の指のそれぞれの指先が前記一対の指先挿入口にそれぞれ挿入されてから、前記線対称の対称軸のところで折られた状態で使用に供されることを特徴とする陰唇間パッド。
【請求項２】
記指先挿入口の幅寸法は、２０ｍｍ以上であることを特徴とする請求の範囲第１項記載の陰唇間パッド。
【請求項３】
前記指先挿入口の深さ寸法は、１５ｍｍ以上であることを特徴とする請求の範囲第１項又は第２項記載の陰唇間パッド。
【請求項４】
前記陰唇間パッドの反身体側には、シート体が取り付けられており、
前記シート体の取り付けは、前記陰唇間パッドの前記長軸方向に対する左右側縁部において一対の非接合部を有するようになされており、
前記一対の指先挿入口は、前記一対の非接合部により形成されていることを特徴とする請求の範囲第１項から第３項のいずれか記載の陰唇間パッド。
【請求項５】
前記シート体は、陰唇間パッドの短手方向の長さ寸法に対して、少なくとも８０％以上の寸法を有することを特徴とする請求の範囲第４項記載の陰唇間パッド。
【請求項６】
前記シート体は、陰唇間パッドの反身体側面とは異なる色調、色度、模様を有することを特徴とする請求の範囲第４項又は第５項記載の陰唇間パッド。
【請求項７】
前記陰唇間パッド又は前記陰唇間パッドに内包されている前記吸収体には、前記対称軸に沿って、折り曲げ誘導要素が設けられていることを特徴とする請求の範囲第１項から第６項いずれか記載の陰唇間パッド。
【請求項８】
前記折り曲げ誘導要素は、破線、切れ目線、圧縮線のいずれかにより構成されているものであることを特徴とする請求の範囲第７項記載の陰唇間パッド。
【請求項９】
請求の範囲第１項から第６項いずれか記載の陰唇間パッドにおいて、更に前記対称軸に沿って長凸状領域が設けられており、使用の際には着用者の２本の指のそれぞれの指先が前記一対の指先挿入口にそれぞれ挿入されてから、前記対称軸のところで折られ、前記長凸状領域が更に突出させられた状態で使用に供されることを特徴とする陰唇間パッド。
【請求項１０】
前記長凸状領域は、前記対称軸が屈曲されることにより形成されているものであることを特徴とする請求の範囲第９項記載の陰唇間パッド。
【請求項１１】
前記陰唇間パッドは、生理用ナプキンと併用される生理用ナプキン併用用のものであることを特徴とする請求の範囲第１項から第１０項いずれか記載の陰唇間パッド。
【請求項１２】
前記陰唇間パッドは尿失禁用の陰唇間パッドであることを特徴とする請求の範囲第１項から第１１項いずれか記載の陰唇間パッド。
【請求項１３】
前記陰唇間パッドはおりもの吸収用の陰唇間パッドであることを特徴とする請求の範囲第１項から第１１項いずれか記載の陰唇間パッド。
【請求項１４】
請求の範囲第１項から第１３項いずれか記載の陰唇間パッドと、この陰唇間パッドを内包する包装容器と、から成る包装体であって、
前記包装容器の開封部の近傍に、前記一対の指先挿入口が位置付けられるように陰唇間パッドが内包されていることを特徴とする包装体。
【請求項１５】
請求の範囲第１項から第１３項いずれか記載の陰唇間パッドと、この陰唇間パッドを内包する包装容器と、から成る包装体であって、
前記陰唇間パッドは、前記対称軸に沿って身体側に向かって山折り状となるように折り畳まれて、前記包装容器に内包されている請求の範囲第１２項記載の包装体。
【発明の詳細な説明】
発明の背景
技術分野
本発明は、女性の陰唇に密着して装着できる陰唇間パッドに関する。
関連技術
従来より、経血等の体液を吸収するための女性用衛生用品としては、生理用ナプキン等のシート状の吸収性物品が一般的に用いられている。ここで、生理用ナプキンについては、膣口付近への密着性の乏しさゆえに生じる隙間からの経血のモレを防ぐべく、多大な努力が払われている。
しかしながら、生理用ナプキンは、衣服に固定して用いるものであるため、元来膣口付近への密着性は乏しく、また、着用者の活動に伴って生理用ナプキンを固定した下着と内股とでズレを生じ、不要な隙間を生じることもある。
このような状況下、生理用ナプキンより小型の衛生用品として、近年、陰唇間パッドなる衛生用品が注目されるようになってきている。
この陰唇間パッドは、女性の陰唇間にその一部分を挟み込ませ、陰唇内面に当接させて装着するというものであり、生理用ナプキンに比して身体との密着性が高いために経血のモレが防止されると共に、経血が拡散して身体に広く接することを防ぐために衛生的かつ清潔なものである。また、生理用ナプキンよりも小型であるために、装着感に優れて快適であるという利点もある。
しかしながら、陰唇間パッドは、生理用ナプキンと比較した場合には、目視困難な陰唇間に装着するものであるため、生理用ナプキンよりも装着が難しいという難点がある。しかも、適切な位置に装着されなかった場合には、生理用ナプキンよりサイズが小さいために、経血のモレによる被害が甚大となる。
このような陰唇間パッドの装着困難性の改善を図ったものとしては、ＰＣＴ国際公開第ＷＯ９９／５６６８９号公報に、身体と接触する面とは反対側の面に突起部を設けた構造を有するものが開示されている。この構造によれば、着用者は当該突起部を指で摘まんで装着を行なうことができるので、当該突起部がない場合よりは装着が容易であると考えられる（第１８図参照）。
しかし、突起部を摘まんだだけでは陰唇間パッドを陰部に十分に密着させるように押しあてることも難しく、しかも、上記従来の陰唇間パッドでは、身体に接する面は平面状となっているため、溝状の形態をなす陰裂に沿うようにして装着することは極めて困難なのである。
このように、上記従来の陰唇間パッドでは陰部への十分な密着を可能とするまでには至っていない。更には、依然として装着の際に経血等が指先に付着するなどの事態も生じ得、それが陰唇間パッドを使用する際の抵抗感を形成する一因となっている。
本発明は、以上のような課題に鑑みてなされたものであり、その目的は、女性の陰唇内に密着した装着を衛生的に行うことが可能な構造の陰唇間パッドを提供することにある。
発明の開示
上記のような課題を解決するために、本発明においては、装着時に陰裂に沿いやすい形態となり、この形態を維持したまま装着できる構造を備えた陰唇間パッド、より具体的には、陰唇間パッドの両側部に一対の指先挿入口を設け、そこに指先を引っ掛けて陰唇間パッドを縦軸中心線に沿って山折り状に折り曲げ、この形態を維持したまま陰唇間への装着を行なうことができる陰唇間パッドとしたことを特徴とする。
より具体的には、本発明は、以下のようなものを提供する。
（１）  体液の吸収が可能な吸収体を内包し、陰唇間に無理なく挟み込むことが可能な大きさになる陰唇間パッドであって、長軸方向と短軸方向とを備える形状をなしており、前記陰唇間パッドには、着用者の指先の部分が無理なく挿入される大きさの一対の指先挿入口が設けられており、当該一対の指先挿入口は、前記長軸方向を中心軸とした場合の前記陰唇間パッドの両側の対岸において互いに線対称な位置に設けられているものであり、使用の際には着用者の２本の指のそれぞれの指先が前記一対の指先挿入口にそれぞれ挿入されてから、前記線対称の対称軸のところで折られた状態で使用に供されることを特徴とする陰唇間パッド。
本発明に係る陰唇間パッドによれば、陰唇間パッドの両側部において、少なくとも指先を挿入できる、即ち、指を引っ掛けることができる一対の指先挿入口が設けられている。このため、着用者は、陰唇間パッドを装着する際に、かかる一対の指先挿入口に２本の指を引っ掛け、この２本の指を互いに引き寄せるようにすることにより、陰唇間パッド全体を短手方向の中央において長手方向に沿って折り曲げることができる。これにより、身体側に向かって陰唇間パッドが山折り状に隆起するため、縦長で溝状の陰裂に対して進入しやすい形態を事前に形成することができる。そして、指先の状態をそのまま維持することにより、陰唇間パッドを折り曲げることによって生じた隆起領域を保つことが可能となる。このため、従来の陰唇間パッドのように単に陰唇間に挟み込まれるだけではなく、折り曲げ形成された隆起領域が陰唇内の奥深くにある小陰唇内部の膣口付近にまで入り込むため、陰唇間パッドと陰唇との間に生じる隙間の発生を著しく低減させ、陰部に対する陰唇間パッドの密着性を高めて経血モレの発生を防止することができる。
また、本発明によれば、陰唇間パッド装着時においては指先が指先挿入口に挿入されているため、指先が陰唇や陰唇に付着している経血と直接接触することなく、衛生的に装着操作を行なうことができるのである。
なお、本発明において、指先挿入口は、少なくとも指先を挿入することができるものであればよいが、指先のみならず、指を深く挿入できるようにしてもよい（第５図参照）。
（２）  前記指先挿入口の幅寸法は、２０ｍｍ以上、好ましくは２５〜３５ｍｍであることを特徴とする（１）記載の陰唇間パッド。
本発明に係る陰唇間パッドによれば、指先挿入口の幅寸法が、扁平な形状である指先を着用者がスムーズに挿入することが可能な寸法となっている。このため、着用者は、自然に指の腹がシート面に接するように指先を挿入するように仕向けられることとなり、挿入した指先を回転する等の操作を必要とせずに陰唇間パッドを摘まむことができる。これにより、陰唇間パッドの装着をより一層迅速なものとすることができる。
なお、本発明において指先挿入口の「幅寸法」とは、指先挿入口の開口部分の幅広寸法を示す（第２図参照）。
（３）  前記指先挿入口の深さ寸法は、１５ｍｍ以上であることを特徴とする（１）又は（２）記載の陰唇間パッド。
本発明に係る陰唇間パッドによれば、指先挿入口の深さ寸法が、指先挿入口に挿入した指先を互いに引き寄せて陰唇間パッドを折り曲げるにあたり、指先が指先挿入口から安易に抜けてしまわないようにするのに十分な深さとなっている。
指先挿入口は、対岸に位置する一対の指先挿入口が互いにつながり、トンネルを形成していても構わない（第４図の（Ａ）参照）。
なお、本発明において「深さ寸法」とは、指先挿入口の開口部分から陰唇間パッドの短手方向における中央部分に直線状に向かう寸法であり、指先を挿入することができる挿入可能寸法を示す（第４図の（Ｂ）参照）。
（４）  前記陰唇間パッドの反身体側には、シート体が取り付けられており、前記シート体の取り付けは、前記陰唇間パッドの前記長軸方向に対する左右側縁部において一対の非接合部を有するようになされており、前記一対の指先挿入口は、前記一対の非接合部により形成されていることを特徴とする（１）から（３）いずれか記載の陰唇間パッド。
本発明に係る陰唇間パッドによれば、その反身体側において、陰唇間パッドを構成する部材とは別のシート体が取り付けられている。そして、このシート体の取り付けは、陰唇間パッドの両側縁において非接合部を有するようになされており、この非接合部において指先挿入口が形成されている。このような構造から、着用者が指先挿入口から２本の指をそれぞれ挿入してシート体のみを摘まむようにするだけで、指で摘ままれたシート体が中央付近に寄せられると同時に、陰唇間パッドにおけるシート体との接合域がこれに連動し、陰唇間パッドの反身体側面が互いに面するように折り曲げられる作用が生じる。そして、陰唇間パッドの身体側面においては、身体方向に向かって山折り状の隆起領域が形成されることとなる。
シート体と陰唇間パッドとの接合は、指先挿入口を除いた陰唇間パッドの周縁のみで接合するほか、指先挿入口を除いたほぼ全域にわたり互いに接合するようにしてもよい。
（５）  前記シート体は、陰唇間パッドの短手方向の長さ寸法に対して、少なくとも８０％以上、好ましくは８０〜１３０％の範囲、より好ましくは９０〜１００％（陰唇間パッドの短手方向の寸法と同寸法）の範囲で設けられることを特徴とする（４）記載の陰唇間パッド。
本発明に係る陰唇間パッドによれば、反身体側に取り付けられたシート体の寸法が、着用者がこれを摘まむことに連動させて陰唇間パッドを折り曲げるのに十分な寸法となっている。このため、シート体を摘まむという作業だけで、確実に陰唇間パッドが山折り状に折り曲げられ、陰唇間パッドを陰裂に沿って嵌装させやすい形状とすることができる。
ここで、陰唇間パッドの短手方向の長さ寸法よりもシート体の長さ寸法が短い場合において、包装容器開封時に陰唇間パッドの反身体側面が露出するように陰唇間パッドが包装されているときには、即座に指先挿入口を視認することができることとなる（第６図の（Ａ）参照）。
（６）  前記シート体は、陰唇間パッドの反身体側面とは異なる色調、色度、模様を有することを特徴とする（４）又は（５）記載の陰唇間パッド。
本発明に係る陰唇間パッドによれば、当該陰唇間パッドの反身体側に取り付けられたシート体が、着用者が陰唇間パッドの反身体側面と区別しやすいように、当該陰唇間パッドの反身体側面とは異なる色調等となっている。このため、着用者は、シート体の識別を容易に行なうことができ、シート体と陰唇間パッドとの間に形成されている指先挿入口の位置を迅速に把握できる。
本発明においては、着色や模様は指先挿入口の位置を示すことができるように施されていればよいことから、指先挿入口を形成する「陰唇間パッドの反身体側に位置する裏面側のシート」及び「陰唇間パッドに取り付けるシート体」の双方に着色や模様を施す必要はなく、何れか一方に対して施せば足りる（第２図参照）。また、同様の理由から、裏面側のシートやシート体の全面に着色や模様を施すことは必ずしも必要ではなく、指先挿入口近傍のみに施すようにしても構わない（第１２図参照）。
色調等を異ならしめる方法としては、裏面側のシートやシート体の原材料樹脂に着色剤を混合して裏面側のシートやシート体自体を着色する方法、裏面側のシートやシート体に顔料を印刷する方法、ホットメルト接着剤に顔料を混合したものを裏面側のシートやシート体に転写する方法等が挙げられる。
この場合において、色調は、青系、赤系、緑系、黄系等とするのが製造上好ましい。特に、シート体を着色する場合には、褐色、黄褐色等、肌に近い色調とするのがよい。このようにすることにより、着用時に陰唇間パッドの存在が目立たなくなり、着用者にとって心理的に好ましいものとなる。
模様を施す方法としては、例えば、指先挿入口近傍において、裏面側のシートやシート体に対し、丸や三角、ハウスマーク等を印刷したり、エンボス加工等で型押しする方法が挙げられる。
（７）  前記陰唇間パッド又は前記陰唇間パッドに内包されている前記吸収体には、前記対称軸に沿って、折り曲げ誘導要素が設けられていることを特徴とする（１）から（６）いずれか記載の陰唇間パッド。
本発明に係る陰唇間パッドによれば、陰唇間パッドあるいはそれに内包される吸収体に対し、短手方向の中央域において、長手方向に延在して折り曲げ誘導要素が配されている。このため、着用者が指先挿入口に挿入した２本の指先を互いに軽く引き寄せるだけで、陰唇間パッドは折り曲げ誘導要素に沿って容易に折り曲げられる。また、着用者の折り曲げ動作にかかわらず、折り曲げ誘導要素に従って好適な隆起領域が形成されることとなる。
なお、この「折り曲げ誘導要素」は、陰唇間パッドを折り曲げたときに、当該折り曲げられた状態の陰唇間パッドが着用者の陰裂にはまり込みやすいように、その折り曲げ位置を指示するものであればよく、一条の連続するものとしても、間欠にしたものであっても構わない。
（８）  前記折り曲げ誘導要素は、破線、切れ目線、圧縮線のいずれかにより形成されているものであることを特徴とする（７）記載の陰唇間パッド。
本発明に係る陰唇間パッドによれば、折り曲げ誘導要素が、破線部のみ、あるいは、破線部と非破線部を交互に配置することにより形成される切れ目線、あるいは、圧縮線、のいずれかによって形成されている。
折り曲げ誘導要素を「切れ目線」で構成する方法としては、例えば、直線状の超硬刃を設けたロータリーカッターで吸収体を左右に分割することにより設ける方法が挙げられる。この場合において、破線部の長さを１〜５ｍｍの範囲とし、破線部と破線部との間にある非破線部を０．３〜５ｍｍの範囲とするのが好ましい。
折り曲げ誘導要素を「圧縮線」で構成する方法としては、例えば、陰唇間パッド若しくは陰唇間パッドに内包される吸収体に、幅０．５〜３ｍｍの範囲でエンボス加工を施し、折り曲げ位置となる部分を圧力によって周辺よりも押しつぶすことにより形成する方法が挙げられる。
（９）  （１）から（６）いずれか記載の陰唇間パッドにおいて、更に前記対称軸に沿って長凸状領域が設けられており、使用の際には着用者の２本の指のそれぞれの指先が前記一対の指先挿入口にそれぞれ挿入されてから、前記対称軸のところで折られ、前記長凸状領域が更に突出させられた状態で使用に供されることを特徴とする陰唇間パッド。
本発明に係る陰唇間パッドによれば、上述の（１）のように、使用に際して初めて隆起領域が形成されるのではなく、予め長凸状領域が形成されている。このため、着用者の取り扱い如何にかかわらず、陰唇間パッドが陰裂に沿いやすい形状となっている。
特に、陰唇間パッドに長凸状領域が別途設けられている場合には、陰唇間パッドに対する突出量が多くなるため、陰唇内の奥に位置する膣口付近にまで陰唇間パッドが確実に介在することとなり、経血のモレ防止効果が一層高められる。
（１０）  前記長凸状領域は、前記対称軸が屈曲されることにより形成されているものであることを特徴とする（９）記載の陰唇間パッド。
本発明に係る陰唇間パッドによれば、長凸状領域は陰唇間パッドを折り曲げることにより形成されている。このため、指先挿入口に挿入した指先で陰唇間パッドやシート体を摘まんだ際に、陰唇間パッドが山折り状に変形することを確実に誘導する。この結果、着用者の取扱いにかかわらず、陰唇間パッドが陰裂に沿いやすい形態となる。
そして、陰唇間パッドにシート体が取り付けられている場合には、かかるシート体は、指先挿入口を形成するほかに、陰唇間パッドが折り曲げられて形成された長凸状領域が広がってしまうのを規制するという効果も有することになる。
（１１）  前記陰唇間パッドは、生理用ナプキンと併用される生理用ナプキン併用用のものであることを特徴とする（１）から（１０）いずれか記載の陰唇間パッド。
本発明に係る陰唇間パッドによれば、生理用ナプキンと併用して使用することができる。このため、陰唇間パッドがその許容量を超える体液を受け止めた場合であっても、体液が漏れ出て下着を汚してしまう事態を確実に防止することが可能となる。
また、膣口近傍のみにおいて両者が重ねられることとなるため、生理用ナプキンのみを重ねて使用する場合のように、ゴワゴワ感を生じる等により装着感を損ねてしまったり、衣服の外部から生理用ナプキンの存在を察知されやすくなってしまったり、更には、膣口近傍以外の不要な部分にまで生理用ナプキンが重ねられてしまうためにかぶれやムレの原因となってしまったり、という事態を回避することができる。加えて、生理用ナプキンを交換することなく陰唇間パッドのみを交換することができるため、着用者は人目につき易い大きさの生理用ナプキンを持ち歩かずに済む、という効果も有することとなる。
（１２）  前記陰唇間パッドは尿失禁用の陰唇間パッドであることを特徴とする（１）から（１１）いずれか記載の陰唇間パッド。
本発明に係る陰唇間パッドによれば、尿失禁用の吸収パッドとして使用することができる。即ち、経血を排出する膣口と尿を排出する尿道口とはいずれも陰唇間に位置するものであるため、本発明に係る陰唇間パッドを陰唇間に挟み込んで使用した場合には、尿を吸収することができる。
このように、本発明によれば、尿を陰唇間、特に尿道口付近で吸収できるので、尿失禁特に軽度の尿失禁に対して有効な吸収パッドを得ることができる。
（１３）  前記陰唇間パッドはおりもの吸収用の陰唇間パッドであることを特徴とする（１）から（１１）いずれか記載の陰唇間パッド。
本発明に係る陰唇間パッドによれば、陰唇間パッドをおりもの吸収用として使用することができる。即ち、本発明に係る陰唇間パッドは陰唇間に挟み込んで使用するものであることから、膣口からの経血以外の分泌物（おりもの）も吸収することができるので、そのための用途（おりもの吸収用）にも使用することができるのである。
このように、本発明によれば、おりものを吸収して着用者の不快感を軽減することができるため、生理時以外の着用者にとっても有効である。
（１４）  （１）から（１３）いずれか記載の陰唇間パッドと、この陰唇間パッドを内包する包装容器と、から成る包装体であって、前記包装容器の開封部の近傍に、前記一対の指先挿入口が位置付けられるように陰唇間パッドが内包されていることを特徴とする包装体。
本発明に係る包装体によれば、陰唇間パッドは、指先挿入口が包装容器の開封部の近傍に位置付けられている。このため、着用者が包装容器を開封するとすぐに指先挿入口を視認することができ、迅速に指先をかかる指先挿入口に挿入し、陰唇間パッドを保持することができる。
（１５）  （１）から（１３）いずれか記載の陰唇間パッドと、この陰唇間パッドを内包する包装容器と、から成る包装体であって、前記陰唇間パッドは、前記対称軸に沿って身体側に向かって山折り状となるように折り畳まれて、前記包装容器に内包されている（１２）記載の包装体。
本発明に係る包装体によれば、陰唇間パッドは、短手方向の中央において、長手方向に沿って、予め折り畳まれて収納されている。このため、着用者は、片方の手で包装容器を摘まみながら、他方の手で陰唇間パッドを取り出すことができ、陰唇間パッドが包装体からこぼれ落ちるようなトラブルを未然に防止することができる。しかも、山折り状に折り曲げるという操作が包装容器に内包されている段階でなされていることになるため、折り曲げ部分が折り癖となって、山折り状態を保持しやすくなっている。このため、装着操作がより一層容易なものとなっているのである。
発明を実施するための最良の形態
次に、本発明の陰唇間パッドについて、図を参照しつつ説明する。
［シート体付き陰唇間パッドの構造］
第１図は、シート体付き陰唇間パッド１０の身体側を示す図であり、第２図は、シート体付き陰唇間パッド１０の反身体側を示す図であり、第３図は、第２図のＡ−Ａ視断面図であり、第４図は、第２図のＢ−Ｂ視断面図であり、第５図は、指先挿入口３及び４に２本の指を挿入した状態を示す図である。
第１図に示すように、陰唇間パッド１は、左右両側縁部と前後両端部を有し、実質的に縦長の形態を成している。陰唇間パッド１の輪郭の形状は、陰唇間に挟むことができる形状であればよく、本実施形態のように長楕円形とするほか、長方形、砂時計型等、さまざまな形状とすることができる。
第２図に示すように、陰唇間パッド１の反身体側には、シート体２が取り付けられている。このシート体２は、第３図に示すように、陰唇間パッド１の縦方向の両端部１ａ及び１ｂとその近傍に対しては接合されており、第４図の（Ａ）に示すように、横方向の左右両側縁部の中央域１ｃ及び１ｄに対しては非接合状態となっている。そして、第２図から明らかなように、非接合状態となっている領域において、指先挿入口３及び４が形成されている。
この指先挿入口３及び４は、着用者の指がスムーズに挿入されることができるのに十分な寸法となっており、具体的には、指先挿入口３の幅寸法（一方端部３ａから他方端部３ｂまでの長さ寸法）及び指先挿入口４の幅寸法（一方端部４ａから他方端部４ｂまでの長さ寸法）が、それぞれ２５〜３５ｍｍに設定されている。
また、この実施形態では指先挿入口３及び４は互いにつながり、トンネルを形成しているが、第４図の（Ｂ）に示すように、陰唇間パッド１とシート体２とが短手方向の中央において縦軸に沿って接着されており、指先挿入口３と指先挿入口４とが個別の空間となっていても構わない。この場合において、指先挿入口３の深さ寸法（開口部３ｃから終焉部３ｄまでの長さ寸法）及び指先挿入口４の深さ寸法（開口部４ｃから終焉部４ｄまでの長さ寸法）は、それぞれ１５ｍｍ以上であることが好ましい。
なお、シート体２と陰唇間パッド１の反身体側面との接合は、超音波シール、ヒートシール等の公知の接合方法により行うことができる。
本実施形態においては、第２図に示すとおり、シート体２の縦方向の寸法は陰唇間パッド１と同等であるが、横幅の寸法はシート体２の方が陰唇間パッド１よりも若干短くなっている。このため、シート体付き陰唇間パッド１０を反身体側から見た場合に、陰唇間パッド１の反身体側面が一部露出されることとなり、着用者はシート体付き陰唇間パッド１０をひっくり返したりすることなく、指先挿入口３及び４を確認することができる。また、これに加え、陰唇間パッド１の反身体側面はシート体２とは異なる色に着色されていることから、着用者が指先挿入口３及び４を、より容易に視認することができるようになっている。
そして、着用者は、第５図に示すように、指先挿入口３から親指を入れ、指先挿入口４から人差し指を入れ、この２本の指でシート体２を摘まむようにする。ここで、陰唇間パッド１とシート体２とは指先挿入口３及び４を除いた周縁部において接着されていることから、シート体２を摘むだけで、これに連動して陰唇間パッド１が山折り状に折り曲げられる。
第３図、第４図の（Ａ）及び第４図の（Ｂ）に示すように、陰唇間パッド１の構成は、透水性の表面側シート１１と不透水性の裏面側シート１２との間に吸収体１３を挟入し、この吸収体１３の周辺部において表面側シート１１と裏面側シート１２とを互いに接合して成る貼り合わせタイプとなっている。この場合において、表面側シート１１と裏面側シート１２とを貼り付ける際に、シート体２をも同時に接合されている。この接合は、ヒートシール単独による接合のほか、ホットメルト型接着剤と併用した接合としても構わない。
また、陰唇間パッド１の構成は、上述の貼り合わせタイプに限定されるものではなく、吸収体の下に不透水性材料を配置し、透水性のシートで全体を被覆した封入タイプとすることもできる。
［使用方法］
次に、シート体付き陰唇間パッド１０の使用方法について説明する。第６図は、包装用シート８で形成された包装容器からシート体付き陰唇間パッド１０を取り出すまでの手順を示す工程図であり、第７図は、第６図の（Ｄ）に示すシート体付き陰唇間パッド１０を身体側から見た図であり、第８図は、シート体付き陰唇間パッド１０を陰唇内に装着する状態を示す図である。
第６図の（Ａ）に示すとおり、まず、包装用シート８から成る包装容器を開封し、シート体付き陰唇間パッド１０を露出させる。この場合において、シート体付き陰唇間パッド１０は、身体側面が包装用シート８に接するようにして包装容器に内包されるようにする。このようにすることにより、包装容器を開封した着用者はシート体付き陰唇間パッド１０を反身体側から見ることとなり、指先挿入口３及び４を即座に視認することができる。
次に、同図の（Ｂ）に示すように、指先挿入口３に親指の指先を入れ、指先挿入口４に人差し指の指先を入れる。そして、同図の（Ｃ）に示すように、この２本の指でシート体２を摘まむようにしてシート体付き陰唇間パッド１０を持ち上げ、更に、同図の（Ｄ）に示すように指先に保持する。
シート体付き陰唇間パッド１０は、第７図に示すように、シート体２を摘まむことにより、これに連動して陰唇間パッド１も縦方向に折り曲げられるため、中央部分が身体側に盛り上がり、隆起領域５を形成する。そして、第８図に示すように、着用者はシート体２を摘まんだ状態を維持するだけで、陰唇９に装着するときまで陰唇間パッド１の折り曲げ状態を維持することができ、隆起領域５を陰唇内に入り込ませるようにして装着することが可能となる。
［他の形態の陰唇間パッド］
次に、他の実施形態の陰唇間パッドについて説明する。第９図は、陰唇間パッド２１の身体側面に長凸状領域２５を有するシート体付き陰唇間パッド２０の斜視図であり、第１０図は、第９図のＣ−Ｃ視断面図である。また、第１１図は、縦長ハート状のシート体付き陰唇間パッド３０の身体側面を示す図であり、第１２図は、シート体２に模様を付したシート体付き陰唇間パッド１０を示す図である。
第９図に示すように、陰唇間パッド２１は短手方向の略中央を頂部として身体側に向かって折り曲げられ、この折り曲げられた部分において長凸状領域２５を形成している。そして、長凸状領域２５の左右に連接する延長領域において、シート体２２が取り付けられている。このシート体２２は、陰唇間パッドの両端縁２１ａ、２１ｂの近傍において接合されており、側縁２１ｃ、２１ｄにおいて非接合領域を有している。そして、この非接合領域において、第１図に示すように指先挿入口２３及び２４が形成されている。
また、シート体２２は長凸状領域２５の広がりを規制するように機能するため、着用者の折り曲げ操作の如何にかかわらず、好適な形状の長凸状領域２５が装着時まで維持されることとなる。
第１１図に示すように、陰唇間パッド３１を縦長ハート状とし、これにシート体３２を取り付けて、シート体付き陰唇間パッド３０とすることもできる。陰唇間パッド３１をこのような形状とした場合には、着用時に着用者の前方に位置する前方域３１Ａが幅狭となり、大腿部内側と陰唇間パッド３１とが接触する面積が少なくなる。ここで、陰唇間パッドの前方域を幅広とすると、着用者の足が激しい動作をした場合には、大腿部内側と陰唇間パッド側部とがこすれて生じる摩擦力によって、陰唇から陰唇間パッドが外れてしまうおそれがある。この点、陰唇間パッド３１は前方域３１Ａが幅狭となっているため、着用者が足を動かした場合でも、陰唇間パッド３１が受ける摩擦力が少なく、陰唇間パッド３１の装着位置がズレるという事態が生じにくくなっている。
また、陰唇間パッド３１は、後方域３１Ｂが幅広となっているため、経血の排泄量が多い場合、特に、膣口から経血が突然噴出したような場合でも、広い表面積を有する後方域３１Ｂで経血を受け止め、これを吸収することができる。
しかも、後方域３１Ｂは、後端部中央において割れ目部３１Ｃを備えているため、陰唇間パッド３１の縦寸法が長いにもかかわらず、臀部にフィットしやすい形状となっている。この点、陰唇間パッドの後端部中央が凹んでいない形状である場合、例えば、後端部が前端部と同様にＵ状となっている場合には、陰唇間パッド３１のように縦寸法を長くすると、着用時に尻の割れ間から後端部中央がはみ出てしまうこととなる。この結果、かかる後端部中央が下着などと接触して陰唇間パッドの装着位置にズレを生じさせたり、また、後端部中央が尻の割れ間に接することができずに隙間を生じさせて経血モレを生じさせたりするおそれがある。この点、当該実施形態においては、割れ目部３１Ｃの存在により、後方域３１Ｂの端部が着用者の尻の形状にフィットしやすいようになっているため、陰唇間パッド３１と着用者の臀部との密着性を維持したまま、陰唇間パッド３１の経血吸収能を高めることが可能となっているのである。
第２図に示すシート体付き陰唇間パッド１０においては、裏面側シート１２に着色を施すことにより、指先挿入用口３及び４を着用者が容易に判別することができるようになっているが、裏面側シート１２はそのままに、シート体２に着色や模様を施すことにより、指先挿入口３及び４を着用者が容易に識別できるようにすることもできる。例えば、第１２図の（Ａ）に示すように、シート体２に矢印を印刷して指先挿入用口３及び４を指し示すようにしたり、同図の（Ｂ）に示すように、シート体２に三角形の模様を印刷して指先挿入用口３及び４を示すようにしたりすることもできる。
［包装形態］
次に、本発明に係る陰唇間パッドの包装形態について説明する。第１３図は、包装用シート４８でシート体付き陰唇間パッド１０を包装した包装体４０を示す図であり、第１４図は、第１３図のＤ−Ｄ視断面図であり、第１５図は、包装容器４１が開封された状態を示す断面図であり、第１６図は、包装容器４１を開封して陰唇間パッド１０を取り出す手順を示す工程図である。
第１３図に示すように、包装容器は、内包する陰唇間パッド（図示せず）と重ならないように包装用シート４８同士を上下両縁で互いに接合することにより形成されている。この包装容器の開封部４２は、横方向に開封できるように設けられており、上下両縁の接合は、陰唇間パッドを取り出すために開封できるように調整されている。このような調整方法としては、例えば、ヒートエンボスによる押圧、雌雄のエンボスによる絡合等の公知技術が挙げられる。
第１４図に示すように、包装体４０には、シート体付き陰唇間パッド１０が、シート体２が内側になるようにして縦軸を中心として折り畳まれて内包されている。このため、包装用シート４８に陰唇間パッド２の身体側が接するようになっている。
そして、第１５図に示すように、包装容器４１の開封方向はシート体付き陰唇間パッド１０の折り畳み方向とは反対となっているため、両者が同じ向きになっている場合のように、包装容器４１開封の際にシート体付き陰唇間パッド１０の折り畳み部側が観察されてしまうということがない。このため、着用者は、取り出したシート体付き陰唇間パッド１０の向きを変えるという操作を行なうことなく、開封と同時に指先挿入口３及び４を視認し、迅速にかかる指先挿入口３及び４に指先を挿入することができるのである。
包装体４０からシート体付き陰唇間パッド１０を取り出すにあたっては、まず、第１６図の（Ａ）に示すように、包装容器４１を開封部４２及び止着テープ４４が上面にくるようにする。そして、同図の（Ｂ）に示すように、利き手とは反対の手で包装体４０を掴み、利き手の指で止着テープ４４を摘まんで引っ張ることにより、開封部４２を開封する。これにより指先挿入口３及び４を露出させる。続いて、同図の（Ｃ）に示すように、指先挿入口３に親指を、指先挿入口４に人差し指を挿入し、シート体付き陰唇間パッド１０を取り出す。このようにすることにより、同図の（Ｄ）に示すように、隆起領域５を形成した状態でシート体付き陰唇間パッド１０を保持することができる。
［陰唇間パッドの外観寸法］
次に、陰唇間パッドの外観寸法について説明する。
陰唇間パッドの縦寸法と横寸法は、陰唇内に嵌合でき、かつ、陰唇自体の力で保持できる範囲であって、陰唇の閉鎖性を考慮した上で設けられる。具体的には、縦寸法は６０〜１５０ｍｍの範囲、好適には８０〜１２０ｍｍの範囲であり、また、陰唇間パッドの短手方向の見かけ上の長さ寸法は、１０〜６０ｍｍの範囲とすることが好ましく、より好ましくは２０〜４０ｍｍの範囲とするのがよい。短手方向の長さ寸法が６０ｍｍより長い場合には、陰唇間に介在されることのない領域が着用者の大腿部などにこすれてしまい、これにより生じた摩擦が両陰唇による挟持力を上回り、陰唇間パッドが脱落するおそれがある。また、短手方向の長さ寸法が１０ｍｍより短い場合には、陰唇間に介在できる領域が少なくなるため陰唇内面との接触面積が減少し、陰唇間パッドの脱落の危険性が生じやすくなる。
なお、上記の「見かけ」とは、長さ寸法が最短の２点間距離（第１７図のＶに該当）を意味する。これは、製造工程との関係で、凹凸形状を辿った２点間の道のり、すなわち、凹凸形状を展開したフラットな状態での２点間距離を実際の長さ（第１７図のＷに該当）として取り扱う場合があるため、入念に定義したものである。
陰唇間パッドに内包される吸収体の寸法は、陰唇間パッドと同等、又は、周縁部の強さを考慮して、外輪郭から間隔をあけて２〜１０ｍｍ縮小した寸法で設けられる。また、吸収体の厚みは、着用感を阻害しない良好な快適感を得るため、２〜１０ｍｍの範囲、好適には３〜６ｍｍの範囲とするのがよい。
［陰唇間パッドの構成材料］
＜透水性シート＞
陰唇間パッドの身体側に配置される透水性のシートには、液親水性であり、肌に刺激を与えない材料が使用される。このようなものとしては、メルトブローン、スパンボンド、ポイントボンド、スルーエアー、ニードルパンチ、湿式、湿式スパンレース、フォームフィルム等の製造方法から得られる不織布を単独又はこれらを複合した材料が挙げられる。
繊維状シートとしては、レーヨン、アセテート、コットン、パルプ又は合成樹脂を成分としたものを単独又は芯鞘構造を成すように複合したものを単独又は混合した繊維をシート化したものが挙げられる。
このような材料のうち、陰唇内面からの液移動性や活性剤による化学的刺激及び陰唇内壁との密接性を考慮すると、身体面側には繊度１．１〜４．４ｄｔｅｘ、繊維長７〜５１ｍｍからなるレーヨンを合計目付に対して４０〜８０％を積層、その衣服面側には繊度１．１〜４．４ｄｔｅｘ、繊維長７〜５１ｍｍからなり合計目付に対して１４〜４２％のレーヨンと繊度１．１〜４．４ｄｔｅｘ、繊維長７〜５１ｍｍからなり合計目付に対して６〜１８％のＰＥＴを混合して積層し、２層の合計目付が２０〜６０ｇ／ｍ２となるよう積層した後、水流交絡により繊維同士を絡合させて乾燥させ、厚みを０．１３〜０．５０ｍｍの範囲で調整したスパンレース不織布が好ましい。この際、衣服面側にＰＥＴを混入する事により、透水性シートが湿潤状態になっても嵩を維持しやすいため陰唇内壁との密接性を保つことができる。
＜吸収体＞
陰唇間パッドに内包される吸収体に用いられる材料としては、パルプ、化学パルプ、レーヨン、アセテート、天然コットン、高分子吸収体、繊維状高分子吸収体、合成繊維を単独又はこれらを混合した物が使用できる。所要に配合した混合物をエンボス加工による圧着、ニードリングによる絡合などの公知技術によりシート化させ、必要に応じて嵩を調整する、重ねる、折り重ねる等により適宜調整することができる。
シート状の材料としては、これらをシート状若しくは粉状に加工して使用してもよく、使用方法に限定されるものではない。
吸収体は、液体（体液）の吸収保持が可能であればよいが、嵩高であり、型崩れし難く、化学的刺激が少ないもので、さらには陰唇への適合が高い柔軟性を有することが好ましい。具体的には衣服面側には、繊維長１〜１０ｍｍの範囲から選ばれるパルプを５０〜１５０ｇ／ｍ２積層し、その身体面側には、繊度１．１〜４．４ｄｔｅｘ、繊維長２０〜５１ｍｍの範囲から選ばれるレーヨンを６０〜９０％、天然コットンを４０〜１０％の混合比で１５０〜２５０ｇ／ｍ２積層してドット状のエンボス加工によりシート化させた、嵩２〜１０ｍｍ、好ましくは３〜５ｍｍに調整した不織布シートが挙げられる。これにより、身体面側から衣服面側へ液体を移行させやすく、吸収保持力が高まる。さらには、上記パルプ層の身体面側には繊度１．１〜４．４ｄｔｅｘ、繊維長２５〜５１ｍｍからなるレーヨンを目付１５〜４０ｇ／ｍ２に調整したメッシュスパンレース不織布を敷設する事により、身体面側から移行してきた液体をメッシュスパンレースにより拡散させ、パルプ層のほぼ全域に液体を誘導させる事ができるので、効率良くより多くの液体を吸収する事が可能である。
＜不透水性シート＞
陰唇間パッドに使用される不透水性のシートの材料としては、吸収体に保持された経血が陰唇間パッドの外へ漏れ出すことを防止できるものを使用することができる。また、透湿性素材とすることにより、装着時のムレを低減させることができ、装着時における不快感を低減させることが可能となる。
このような材料としては、例えば、合成樹脂を膜化したシート状フィルム、無機フィラーを充填させて延伸処理を施すことにより得られる通気フィルム、紙、不織布とフィルムを複合したラミネート物、１０〜３０％の開孔を有し孔径が０．１〜０．６ｍｍの範囲で毛細管を吸収性体側に向かうように配置することにより得られる通気性液遮断シート、等を使用することができる。
更に、装着感を損なわない柔軟性を考慮した場合には、例えば、密度が０．９００〜０．９２５ｇ／ｃｍ３の密度の低密度ポリエチレン（ＬＤＰＥ）樹脂を主体とした目付１５〜３０ｇ／ｍ２の範囲から得られるフィルムを使用することが好ましい。さらに好ましくは、陰唇間に装着されている際に、不透水性シート同士、または併用するパッド、下着などに接触した時に、摩擦が高く陰唇間パッドが陰唇から脱落してしまう危険性を低下させるために、上記フィルムにエンボス加工をし、凸状の隆起部を設ける事で、接触率を低下させ摩擦抵抗値を少なくさせてあっても良い。
＜シート体と陰唇間パッドの反身体側面との接合＞
接合方法としては、感圧型ホットメルト、感熱型ホットメルト、ヒートシール、超音波シール等の方法により固定することができる。ホットメルト接着剤の塗布形態は、面状、線状、螺旋状、噴霧状等、任意に選択することが可能である。
＜シート体＞
シート体に使用する材料は、指を挿入した際に破損しない程度の強度を有することを考慮した上で選択することが好ましく、シート状不織布、弾性伸縮性不織布、フィルム、フォームフィルム、エラスティックフィルム、発泡シート、薄葉紙等を単独で又はこれらをラミネート加工したものの中から選択することが可能である。好ましくは、横方向破断強度が少なくとも０．６Ｎ／２５ｍｍであり、こわさを考慮した場合には、０．６〜２．５Ｎ／２５ｍｍの範囲から選ばれる。具体的には、密度０．９１５の低密度ポリエチレン（ＬＤＰＥ）樹脂を主成分とした厚さ１５〜３０ミクロンに調整されたフィルムであり、特に好ましいものとしては、指先挿入口からの指の引き抜きが容易となるものであり、毛細管を有する密度０．９２０のＬＤＰＥ樹脂を主成分とし、嵩が０．３〜１．０ｍｍ、開孔率が１５〜６０％、孔径が０．３〜１．５ｍｍを有するフォームフィルムが挙げられる。
［生分解性・水分散性・水溶性を付与した陰唇間パッドの構成］
本発明の陰唇間パッドは、生分解性素材及び／又は水分散性素材及び／又は水溶性素材で構成されていることが好ましい。このような陰唇間パッドは、使用後そのままトイレに脱落させて流すことができるため、パッドの破棄を簡便かつ清潔に行なうことができ、トイレ内のゴミの低減を図ることもできるからである。
本明細書において、「生分解性」とは、放線菌をはじめとする細菌、その他の微生物の存在下、自然界のプロセスに従って、嫌気性又は好気性条件下で物質が二酸化炭素又はメタン等のガス、水及びバイオマスに分解されることをいい、当該物質の生分解能（生分解速度、生分解度など）が、落ち葉等の自然に生じる材料、もしくは同一環境下で生分解性として一般に認識される合成ポリマーに匹敵することをいう。「水分散性」とは、水解性と同じ意味であって、使用時の限定された量の水分（経血）では影響はないものの、多量の水又は水流中では、繊維同士が、少なくとも一般のトイレ配管を詰まらせることがない程度の小断片に容易に分散される性質のことをいう。「水溶性」とは、使用時の限定された量の水分（経血）では影響はないものの、多量の水又は水流中においては溶解する性質のことをいう。
＜透水性シート＞
透水性シートに使用できる材料としては、スパンレース不織布のほか、繊維長を１〜１５ｍｍの範囲から選択される湿式スパンレース不織布を使用することができる。他の材料としては、ポリ乳酸、ポリブチレンサクシネートなどの加水分解による生分解性樹脂も使用することができる。例えば、ポリ乳酸を原料として作られる目付が２０〜６０ｇ／ｍ２の範囲で調整されたメルトブローン不織布や目付が１５〜３０ｇ／ｍ２の範囲、繊維太さが１．１〜３．３ｄｔｅｘの範囲で調整されたスパンボンド不織布が挙げられる。なお、各不織布材料には、開孔処理を施しても施さなくてもどちらでもよい。
他の材料としてはアセテート、合成繊維を単独又は積層体の連続繊維であるトウを目付５０〜３００ｇ／ｍ２の範囲に調整し、繊維同士を解繊することにより使用することもできる。
＜吸収体＞
吸収体に使用できる材料としては、ニードリングから得られる不織布シートを使用することができる。なお、高分子吸収材料の生分解性等を考慮すると、カルボキシメチルセルロース、又は、カルボキシエチルセルロース繊維を使用するのが好ましい。
＜不透水性シート＞
不透水性のシートに使用できる材料としては、ＰＶＡフィルム、ＰＶＡフィルムの片面若しくは両面あるいは部分的にシリコーンなどにより撥水処理を施したフィルムシート、シリコーンを混合したＰＶＡフィルム、澱粉フィルム、ポリ乳酸又はポリブチレンサクシネート等の加水分解による生分解性樹脂を原料としたフィルム及びティッシュ等とのラミネート紙を使用することができる。必要に応じて無機顔料を０．１〜５％の範囲で混合して着色を施してもよい。
過湿下における防漏性の維持と浄化槽への過度な負荷を与えないこと等をも考慮した場合には、ポリ乳酸を原料としたフィルムを１０〜２０ミクロンの厚み範囲で目付１５〜２０ｇ／ｍ２の範囲から選ばれるティッシュとラミネートし、更にラミネート時の貼り合せ面積率を５〜４０％の範囲で設けられたラミネート紙が好適である。
＜シート体＞
シート体に生分解性や水洗可能性を持たせるためには、シート体を構成する合成樹脂を、ポリ乳酸、ポリブチレンサクシネート、ＰＶＡ（ポリビニルアルコール）樹脂等の生分解性又は水溶性樹脂にする。また、ティッシュと前記生分解性又は水溶性樹脂とのラミネート材料としてもよい。
＜接合方法＞
接合方法としては、水溶性又は水膨潤性を有するポリビニルアルコール等による接着、ヒートシール、或いは水素結合による接合、等の接合方法を単独で若しくは適宜組み合わせて用いることができる。
＜包装容器の材料＞
包装容器に使用される包装用シートには、公知の物を用いることができる。例えば、厚さ１５〜６０ミクロンのポリエチレン、ポリプロピレン、ポリエステル、ポリビニルアルコール、ポリ乳酸、ポリブチレンサクシネート、或いは不織布、紙、及びこれらのラミネート材料が挙げられる。
より具体的には、ゴミや塵などが混入しにくい密閉性と包装形態の保持性を考慮したうえで、スパンボンド・メルトブローン・スパンボンドが６〜１０ｇ／ｍ２・５〜２０ｇ／ｍ２・６〜１０ｇ／ｍ２重量で構成される複合不織布、又は密度０．９〜０．９２５ｇ／ｃｍ３の範囲から選ばれるＬＤＰＥを主成分とした厚さが１５〜３０ミクロンに調整されたフィルム等を使用できる。
生分解性・水分散性・水溶性を有するようにする場合には、合成樹脂組成を生分解性或いは水溶性であるポリ乳酸、ポリブチレンサクシネート、ポリビニルアルコール等の組成を換えることにより可能である。
また、開封の際に着用者は、片方の手で陰唇間製品が収納された包装体を掴んだ状態に仕向けられるため、陰唇間製品が包装体からこぼれ落ちるようなトラブルも未然に防止されることになる。
＜包装容器の材料＞
包装容器に使用される包装用シートには、例えば、ティッシュ、不織布、フィルム等を単独又はこれらのラミネート物を使用することができ、特に限定されるものではない。
具体的には、ＬＤＰＥを主成分とした目付１５〜３０ｇ／ｍ２の範囲で調整されたフィルムが挙げられる。
より具体的には、ゴミや塵などが混入しにくい密閉性と包装形態の保持性を考慮したうえで、スパンボンド・メルトブローン・スパンボンドが６〜１０ｇ／ｍ２・５〜２０ｇ／ｍ２・６〜１０ｇ／ｍ２重量で構成される複合不織布、又は密度０．９〜０．９２５ｇ／ｃｍ３の範囲から選ばれるＬＤＰＥを主成分とした厚さが１５〜３０ミクロンに調整されたフィルム等を使用できる。
生分解性・水分散性・水溶性を有するようにする場合には、生分解性であるポリ乳酸、ポリイソシアネート、澱粉等の不織布又はフィルムから得られ、水溶性であればポリビニルアルコールを主体としたフィルムから得られ、並びにトイレットペーパーを使用することも可能である。合成樹脂組成を生分解性或いは水溶性であるポリ乳酸、ポリブチレンサクシネート、ポリビニルアルコール等の組成を換えることにより可能である。
具体的には、ポリイソシアネートを目付け５〜１０ｇ／ｍ２の範囲で調整したフィルムと目付け１５〜３０ｇ／ｍ２の範囲で調整される水解性紙とのラミネート体が挙げられる。
産業上の利用の可能性
以上のような本発明によれば、陰唇間パッド側縁に設けられた指先挿入口に指先を挿入し、この指先を互いに引き寄せて陰唇間パッドを摘まむようにすることにより、陰唇間パッドの身体側面に陰裂に沿いやすい形状の隆起領域を形成することができる。このため、この状態を維持したまま陰唇間パッドを陰唇に装着することにより、指先を清潔に保ったまま、陰唇内奥の膣口付近にまで陰唇間パッドを嵌装させることができる。
【図面の簡単な説明】
第１図は、本実施形態のシート体付き陰唇間パッドの身体側を示す図である。
第２図は、本実施形態のシート体付き陰唇間パッドの反身体側を示す図である。
第３図は、第２図のＡ−Ａ視断面を示す図である。
第４図は、第２図のＢ−Ｂ視断面を示す図である。
第５図は、本実施形態のシート体付き陰唇間パッドの指先挿入口に指を挿入した状態を示す図である。
第６図は、包装容器からシート体付き陰唇間パッドを取り出すまでの手順を示す工程図である。
第７図は、第６図の（Ｄ）に示すシート体付き陰唇間パッドを身体側から見た図である。
第８図は、シート体付き陰唇間パッドを陰唇内に装着する状態を示す図である。
第９図は、陰唇間パッドの身体側面に長凸状領域を有するシート体付き陰唇間パッドの斜視図である。
第１０図は、第９図のＣ−Ｃ視断面図である。
第１１図は、縦長ハート状のシート体付き陰唇間パッドの身体側面を示す図である。
第１２図は、縦長ハート状のシート体付き陰唇間パッドの反身体側面を示す図である。
第１３図は、シート体に模様を施したシート体付き陰唇間パッドを示す図である。
第１４図は、第１３図のＤ−Ｄ視断面図である。
第１５図は、包装用シートで形成された包装容器が開封された状態を示す斜視断面図である。
第１６図は、包装容器を開封してシート体付き陰唇間パッドを取り出す手順を示す工程図である。
第１７図は、陰唇間パッドの短手方向における長さ寸法を説明するための説明図である。
第１８図は、陰唇間パッドの反身体側面に突起部を有する従来例の使用状態を示す図である。
【図１】
0004119262.tif 000002
【図２】
0004119262.tif 000003
【図３】
0004119262.tif 000004
【図４】
0004119262.tif 000005
【図５】
0004119262.tif 000006
【図６】
0004119262.tif 000007
【図７】
0004119262.tif 000008
【図８】
0004119262.tif 000009
【図９】
0004119262.tif 000010
【図１０】
0004119262.tif 000011
【図１１】
0004119262.tif 000012
【図１２】
0004119262.tif 000013
【図１３】
0004119262.tif 000014
【図１４】
0004119262.tif 000015
【図１５】
0004119262.tif 000016
【図１６】
0004119262.tif 000017
【図１７】
0004119262.tif 000018
【図１８】
0004119262.tif 000019